(57)【要約】【課題】装置内への埃の侵入を防ぐとともに、光ディスクに傷が付くことなくローディング可能な光ディスク装置を提供することである。【解決手段】第１のセンサ３４及び第２のセンサ３５が光ディスクを検出すると、光ディスクの中心位置を算出し、光ディスク移動用モータ１７を駆動して、ターンテーブル１２が光ディスクの中心下方に位置するようにスピンドルモータ１１を移動させ、デッキ移動用モータ２０を駆動して、ターンテーブル１２上に光ディスクが載置される位置までデッキ１９を上昇させ、光ディスク移動用モータ１７を駆動して、ターンテーブル１２がチャッキングプレート３１の下方に位置するようにスピンドルモータ１１を移動させ、デッキ移動用モータ２０を駆動してデッキ１９を上昇させ、ターンテーブル１２とチャッキングプレート３１で光ディスクをチャックする構成とする。【選択図】      図２
2004227698.tif 000002
【特許請求の範囲】
【請求項１】
光ディスクを挿入する開口部と、該開口部の両端部から装置内へ垂直に設けられた光ディスク挿入用のガイドと、前記開口部の下端に沿って配設された第１のセンサと、前記ガイドの下端に取り付けられた第２のセンサと、光ディスクを載置するターンテーブルを有したスピンドルモータと、該スピンドルモータを光ディスク挿入方向に沿って移動させる光ディスク移動用モータと、前記スピンドルモータ及び光ディスク移動用モータを配設するデッキと、該デッキを光ディスク面に垂直な方向に移動させるデッキ移動用モータと、前記ターンテーブルにチャッキングして光ディスクを回転可能に支持するチャッキングプレートとを備え、
前記第１及び第２のセンサが光ディスクを検出すると、光ディスクの中心位置を算出し、
前記光ディスク移動用モータを駆動して、前記ターンテーブルが光ディスクの中心下方に位置するように前記スピンドルモータを移動させ、
前記デッキ移動用モータを駆動して、前記ターンテーブル上に光ディスクが載置される位置まで前記デッキを上昇させ、
前記光ディスク移動用モータを駆動して、前記ターンテーブルが前記チャッキングプレートの下方に位置するように前記スピンドルモータを移動させ、
前記デッキ移動用モータを駆動して前記デッキを上昇させ、前記ターンテーブルと前記チャッキングプレートで光ディスクをチャックすることを特徴とする光ディスク装置。
【請求項２】
光ディスクを挿入する開口部を有した光ディスク装置において、
挿入された光ディスクの位置を検出するセンサと、光ディスクを載置するターンテーブルを有したスピンドルモータと、該スピンドルモータを光ディスク挿入方向に沿って移動させる光ディスク移動用モータと、前記スピンドルモータ及び光ディスク移動用モータを配設するデッキと、該デッキを光ディスク面に垂直な方向に移動させるデッキ移動用モータと、前記ターンテーブルにチャッキングして光ディスクを回転可能に支持するチャッキングプレートとを備えたことを特徴とする光ディスク装置。
【請求項３】
前記センサは、前記開口部に沿って配設された第１のセンサと、前記開口部の両端部から装置内へ垂直に設けられた光ディスク挿入用のガイドに取り付けられた第２のセンサとからなることを特徴とする請求項２記載の光ディスク装置。
【請求項４】
光ディスクを挿入する開口部と、該開口部の両端部から装置内へ垂直に設けられた光ディスク挿入用のガイドと、挿入された光ディスクの位置を検出するセンサと、光ディスクを載置するターンテーブルを有したスピンドルモータと、該スピンドルモータを光ディスク挿入方向に沿って移動させる光ディスク移動用モータと、前記スピンドルモータ及び光ディスク移動用モータを配設するデッキと、該デッキを光ディスク面に垂直な方向に移動させるデッキ移動用モータと、前記ターンテーブルにチャッキングして光ディスクを回転可能に支持するチャッキングプレートとを備え、
前記センサが光ディスクを検出すると、光ディスクの中心位置を算出し、
前記光ディスク移動用モータを駆動して、前記ターンテーブルが光ディスクの中心下方に位置するように前記スピンドルモータを移動させ、
前記デッキ移動用モータを駆動して、前記ターンテーブル上に光ディスクが載置される位置まで前記デッキを上昇させ、
前記光ディスク移動用モータを駆動して、前記ターンテーブルが前記チャッキングプレートの下方に位置するように前記スピンドルモータを移動させ、
前記デッキ移動用モータを駆動して前記デッキを上昇させ、前記ターンテーブルと前記チャッキングプレートで光ディスクをチャックすることを特徴とする光ディスク装置。
【発明の詳細な説明】
【０００１】
【発明の属する技術分野】
本発明は、光ディスクを水平方向に挿入する開口部を有した光ディスク装置に関するものである。
【０００２】
【従来の技術】
従来の光ディスク装置におけるディスク交換方法としては、トレイ方式やスロットイン方式がある。トレイ方式は、ディスクトレイに載置された光ディスクをディスクトレイ毎装置内に収納する方式である。また、スロットイン方式は、装置内のディスク挿入口付近に設けた搬送ローラで光ディスクを挟んで、搬送ローラを回転させて光ディスクを装置内に収納する方式である。
【０００３】
ところで、特許文献１には、ディスクを回転駆動するスピンドルモータと、スピンドルモータを支持するベース体と、ベース体の両側に延在してベース体を支持し、ディスク面の方向に往復移動することによりベース体をディスク面に垂直な方向に昇降せしめる一対のスライド部材等からなるディスク装置が開示されている。この特許文献１は、上記のスロットイン方式において、ディスク上面の搬送ローラをなくしたものである。
【０００４】
また、特許文献２には、高精度で安定してディスク検出するために、ディスク検出用のスイッチを従来の１箇所に加えてもう１箇所追加配置し、２つのスイッチのオン、オフ信号から侵入物を判別するようにしたディスク検出装置が開示されている。
【０００５】
【特許文献１】
特開２００２−１１７６０４号公報
【特許文献２】
特開２０００−２６８４８２号公報
【０００６】
【発明が解決しようとする課題】
しかしながら、上記のトレイ方式では、装置の開口部が大きく装置内へ埃が入り易い。そのためピックアップが汚れるおそれがある。また、ディスクトレイに正確に光ディスクが載置されていないと搬送持に光ディスクが破損するおそれがある。一方、スロットイン方式では、トレイ方式よりも開口部が小さいので装置内への埃の侵入は少なくなるが、搬送ローラにより光ディスクへ傷が付くおそれや、搬送ローラの圧により光ディスクが歪むおそれがある。
【０００７】
また、特許文献１や特許文献２においても搬送の際にディスクに傷が付くおそれは解決されていない。
【０００８】
本発明は、上記の問題点に鑑み、装置内への埃の侵入を防ぐとともに、光ディスクに傷が付くことなくローディング可能な光ディスク装置を提供することを目的とする。
【０００９】
【課題を解決するための手段】
上記目的を達成するために本発明は、光ディスクを挿入する開口部を有した光ディスク装置において、挿入された光ディスクの位置を検出するセンサと、光ディスクを載置するターンテーブルを有したスピンドルモータと、該スピンドルモータを光ディスク挿入方向に沿って移動させる光ディスク移動用モータと、前記スピンドルモータ及び光ディスク移動用モータを配設するデッキと、該デッキを光ディスク面に垂直な方向に移動させるデッキ移動用モータと、前記ターンテーブルにチャッキングして光ディスクを回転可能に支持するチャッキングプレートとを備えたことを特徴とするものである。
【００１０】
このように、従来のスロットイン方式と同様に開口部を小さくすることにより、装置内への埃の侵入を防ぐことができる。また、ターンテーブルを移動させることにより、搬送ローラを用いずにローディング可能にしているので、光ディスクに傷が付くおそれがなくなる。
【００１１】
また上記の光ディスク装置において、前記センサは、前記開口部に沿って配設された第１のセンサと、前記開口部の両端部から装置内へ垂直に設けられた光ディスク挿入用のガイドに取り付けられた第２のセンサとから構成することができる。
【００１２】
この構成によれば、第１のセンサは光ディスクの直径以上の長さを有しているので挿入された光ディスクのその場所での径を検出し、第２のセンサは装置の奥に設けられるので光ディスクの半分以上が挿入された場合にのみ光ディスクを検出する。従って、これらの検出値から光ディスクの中心位置を算出することができる。
【００１３】
また本発明の光ディスク装置は、光ディスクを挿入する開口部と、該開口部の両端部から装置内へ垂直に設けられた光ディスク挿入用のガイドと、挿入された光ディスクの位置を検出するセンサと、光ディスクを載置するターンテーブルを有したスピンドルモータと、該スピンドルモータを光ディスク挿入方向に沿って移動させる光ディスク移動用モータと、前記スピンドルモータ及び光ディスク移動用モータを配設するデッキと、該デッキを光ディスク面に垂直な方向に移動させるデッキ移動用モータと、前記ターンテーブルにチャッキングして光ディスクを回転可能に支持するチャッキングプレートとを備え、前記センサが光ディスクを検出すると、光ディスクの中心位置を算出し、前記光ディスク移動用モータを駆動して、前記ターンテーブルが光ディスクの中心下方に位置するように前記スピンドルモータを移動させ、前記デッキ移動用モータを駆動して、前記ターンテーブル上に光ディスクが載置される位置まで前記デッキを上昇させ、前記光ディスク移動用モータを駆動して、前記ターンテーブルが前記チャッキングプレートの下方に位置するように前記スピンドルモータを移動させ、前記デッキ移動用モータを駆動して前記デッキを上昇させ、前記ターンテーブルと前記チャッキングプレートで光ディスクをチャックすることを特徴とするものである。
【００１４】
このように、ユーザは光ディスクの半分以上を光ディスク装置内へ挿入すると、光ディスク装置が光ディスクの中心を検出して自動的にローディングする。
【００１５】
また本発明の光ディスク装置は、光ディスクを挿入する開口部と、該開口部の両端部から装置内へ垂直に設けられた光ディスク挿入用のガイドと、前記開口部の下端に沿って配設された第１のセンサと、前記ガイドの下端に取り付けられた第２のセンサと、光ディスクを載置するターンテーブルを有したスピンドルモータと、該スピンドルモータを光ディスク挿入方向に沿って移動させる光ディスク移動用モータと、前記スピンドルモータ及び光ディスク移動用モータを配設するデッキと、該デッキを光ディスク面に垂直な方向に移動させるデッキ移動用モータと、前記ターンテーブルにチャッキングして光ディスクを回転可能に支持するチャッキングプレートとを備え、前記第１及び第２のセンサが光ディスクを検出すると、光ディスクの中心位置を算出し、前記光ディスク移動用モータを駆動して、前記ターンテーブルが光ディスクの中心下方に位置するように前記スピンドルモータを移動させ、前記デッキ移動用モータを駆動して、前記ターンテーブル上に光ディスクが載置される位置まで前記デッキを上昇させ、前記光ディスク移動用モータを駆動して、前記ターンテーブルが前記チャッキングプレートの下方に位置するように前記スピンドルモータを移動させ、前記デッキ移動用モータを駆動して前記デッキを上昇させ、前記ターンテーブルと前記チャッキングプレートで光ディスクをチャックすることを特徴とするものである。
【００１６】
このように、ユーザは光ディスクの半分以上を光ディスク装置内へ挿入すると、光ディスク装置が光ディスクの中心を検出して自動的にローディングする。また従来のスロットイン方式と同様に開口部を小さくすることにより、装置内への埃の侵入を防ぐことができる。更にこの光ディスク装置は、従来のスロットイン方式のように搬送ローラを必要としないので、光ディスクに傷が付くおそれがない。
【００１７】
【発明の実施の形態】
以下に本発明の実施形態について図面を参照して説明する。図１は、光ディスク装置１０内部の平面図、図２は、光ディスク装置１０内部の側面図である。本実施形態において光ディスク装置１０は、ＤＶＤ再生装置を例に説明する。
【００１８】
１１は光ディスクを回転させるスピンドルモータであり、１２はスピンドルモータ１１に取り付けられたターンテーブル、１３はターンテーブル１２上に形成され光ディスクの中心穴をはめ込むチャッキング部、１４はスピンドルモータ１１を囲むシリンダ、１５はシリンダ１４を後述するシャフトに取り付けるシリンダ支持体である。
【００１９】
１６はスクリューシャフトであり、一端が光ディスク移動用モータ１７に接続され、シリンダ支持体１５と噛合している。１８はシリンダ支持体１５を貫通するシャフトである。光ディスク移動用モータ１７の駆動により、スクリューシャフト１６が回転し、スピンドルモータ１１を水平方向に移動させる。スクリューシャフト１６、シャフト１８、光ディスク移動用モータ１７はデッキ１９に配設される。
【００２０】
２０はデッキを上下方向に移動させるデッキ移動用モータ、２１はデッキ移動用モータ２０に接続されるとともに、デッキ１９と噛合するスクリューシャフト、２２はデッキ１９を貫通する３本のシャフト、２３はプリント回路基板（以下、ＰＣＢと記す）である。デッキ移動用モータの駆動により、スクリューシャフト２１が回転し、デッキ１９を上下方向に移動させる。これにより、スピンドルモータ１１が上下方向に移動させられる。
【００２１】
２４はピックアップモジュールであり、スクリューシャフト２５と噛合し、シャフト２６が貫通している。スクリューシャフト２５はピックアップ移動用モータ２７に接続され、ピックアップ移動用モータ２７はＰＣＢ２３等の外側に設けられたベース２８に固定されている。ベース２８にはスピンドルモータ１１等を跨ぐコ字型のチャッキングプレート支持体２９が設けられ、チャッキングプレート支持体２９の天面に形成された穴３０には磁石からなるチャッキングプレート３１が回転可能に取り付けられている。このチャッキングプレート３１はターンテーブル１２と接合することで光ディスクを挟む。
【００２２】
３２は光ディスク装置１０の筐体であり、光ディスクを挿入する開口部３２ａを有している。３３は開口部３２ａの両端部から装置内へ垂直に設けられた断面Ｌ字型又はコ字型のガイドであり、装置内へ挿入される光ディスクを支持する。３４は開口部３２ａの下端に沿って配設された第１のセンサであり、３５はガイド３３の下端に取り付けられた第２のセンサである。第２のセンサ３５は光ディスクの中心が装置内まで挿入されたときに検知するように、開口部３２ａから光ディスクの半径程離れた位置に設けることが望ましい。これらのセンサ３４、３５により、挿入された光ディスクの正確な位置を検出することができる。そして、センサ３４、３５にはフォトインタラプタ等を用いることができる。なお、センサは少なくともどちらか１つを備えていれば、光ディスクの位置を検出することができる。
【００２３】
図３は、光ディスク装置１０の構成をブロック図である。光ディスク装置１０は、図１及び図２で示した構成以外に、ＲＦアンプ４０と、サーボ回路４１と、信号処理回路４２と、トラックバッファ４３と、システムデコーダ４４と、システムマイコン４５と、表示部４６とを備えている。
【００２４】
ピックアップ２４は、所定波長のレーザ光をディスクｄの記録面に向けて照射し、その反射光を受けて電気信号（反射光検出信号）に変換する。またピックアップ２４は、この反射光検出信号をＲＦアンプ４０に供給する。
【００２５】
ＲＦアンプ４０は、ピックアップ２４より供給された反射光検出信号からＲＦ信号、トラッキング信号、及びフォーカス信号等を生成する。更に、ＲＦ信号をデータスライスした二値化信号を生成する。ＲＦアンプ４０は、生成したトラッキング信号等をサーボ回路４１に供給し、また、生成した二値化信号を再生信号として信号処理回路４２に供給する。
【００２６】
サーボ回路４１は、スピンドルモータ１１を駆動制御し、所定の回転速度で回転駆動させる。また、サーボ回路４１は、ＲＦアンプ４０から供給されるトラッキング信号等によりピックアップ移動用モータ２７を駆動制御し、ピックアップ２４をディスクｄの径方向に適宜移動させる。
【００２７】
信号処理回路４２は、ＲＦアンプ４０から供給される再生信号を復調し、そして、誤り訂正等を行う。信号処理回路４２は、この復調等により得られた復調データをトラックバッファ４３に順次供給する。
【００２８】
トラックバッファ４３は、所定容量のＲＡＭ等からなり、信号処理回路４２から供給された復調データを順次記憶する。なお、トラックバッファ４３に記憶された復調データは、システムデコーダ４４へ逐次供給される。
【００２９】
システムデコーダ４４は、トラックバッファ４３から供給される復調データをデコードし、映像データ及び音声データ等を生成する。システムデコーダ４４は、生成した映像データ及び音声データ等を所定のＡＶアンプ等に供給する。
【００３０】
システムマイコン４５は、例えば、ＲＯＭ、ＲＡＭ、及びＣＰＵを備えた１チップマイコン等からなり、光ディスク装置１０全体を制御する。システムマイコン４５は、サーボ回路４１等を制御して、ディスクｄに予め記録されたＰＧＣＩを取得し、自己のＲＡＭ等に記憶する。そして、記憶したＰＧＣＩに従った対象Ｃｅｌｌの読み出しを行うＰＧＣ動作を実行する。
【００３１】
またこれらの動作と並行して、システムマイコン４５は、システムデコーダ４４を制御してトラックバッファ４３に格納されている復調データをデコードし、映像データ及び音声データ等を順次再生する。
【００３２】
表示部４６は、ＬＣＤ（Ｌｉｑｕｉｄ  Ｃｒｙｓｔａｌ  Ｄｉｓｐｌａｙ）パネル等からなり、光ディスク装置１０の動作状況等を表示する。
【００３３】
図４は、光ディスク装置１０の光ディスク挿入からチャッキングまでの動作を示すフローチャートである。ユーザにより光ディスクｄが挿入されると、ステップＳ１０において第１のセンサ３４及び第２のセンサ３５が光ディスクｄを検出する。光ディスクｄがどの位置まで挿入されたかは、それぞれのセンサ３４、３５の検出範囲からシステムマイコン４５で算出することができる。
【００３４】
ステップＳ１０で光ディスクｄの位置、つまり光ディスクｄの中心の位置が算出されると、ステップＳ１１へ進んで光ディスク移動用モータ１７を駆動してターンテーブル１２の中心が光ディスクｄの中心下方に位置するようにシリンダ１４を移動させる（図５の状態）。なお、図中の点線は透過図である。
【００３５】
次に、ステップＳ１２へ進んでデッキ移動用モータ２０を駆動してターンテーブル上に光ディスクｄが載置される位置までデッキ１９を上昇させる（図６の状態）。
【００３６】
次に、ステップＳ１３へ進んで光ディスク移動用モータ１７を駆動して光ディスクを載置したターンテーブル１２の中心がチャッキングプレート３１の下方に位置するようにシリンダ１４を移動させる。その後、ステップＳ１４へ進んでデッキ移動用モータ２０を駆動してデッキ１９を更に上昇させ、ターンテーブル１２とチャッキングプレート３１で光ディスクｄをチャックする（図７の状態）。以上の動作により、挿入された光ディスクｄのローディングが完了する。
【００３７】
このように、ユーザは光ディスクの半分以上を光ディスク装置１０内へ挿入すると、光ディスク装置１０が光ディスクの中心を検出して自動的にローディングする。この光ディスク装置１０は、従来のスロットイン方式のように搬送ローラを必要としないので、光ディスクに傷が付くおそれがない。なお、光ディスクｄの取り出しの際は、上記の逆の動作を行えばよい。
【００３８】
【発明の効果】
本発明によれば、ユーザが光ディスクの半分以上を光ディスク装置内へ挿入すると、光ディスク装置が光ディスクの中心を検出して自動的にローディングする構成としているので、従来のスロットイン方式と同様に開口部を小さくすることが可能となり、装置内への埃の侵入を防ぐことができる。
【００３９】
また本発明によれば、従来のスロットイン方式のようにローディングに搬送ローラを用いず、ターンテーブルの移動によりローディングしているので、光ディスクに傷が付くおそれがなくなる。
【図面の簡単な説明】
【図１】光ディスク装置内部の平面図である。
【図２】光ディスク装置内部の側面図である。
【図３】光ディスク装置の構成をブロック図である。
【図４】光ディスク装置の光ディスク挿入からチャッキングまでの動作を示すフローチャートである。
【図５】光ディスクローディング時の一状態を示す光ディスク装置の側面図である。
【図６】光ディスクローディング時の一状態を示す光ディスク装置の側面図である。
【図７】光ディスクローディング時の一状態を示す光ディスク装置の側面図である。
【符号の説明】
１０    光ディスク装置
１１    スピンドルモータ
１２    ターンテーブル
１７    光ディスク移動用モータ
１９    デッキ
２０    デッキ移動用モータ
３１    チャッキングプレート
３２ａ  開口部
３３    ガイド
３４    第１のセンサ
３５    第２のセンサ
ｄ      光ディスク
【図１】
2004227698.tif 000003
【図２】
2004227698.tif 000004
【図３】
2004227698.tif 000005
【図４】
2004227698.tif 000006
【図５】
2004227698.tif 000007
【図６】
2004227698.tif 000008
【図７】
2004227698.tif 000009